(57)【要約】【課題】  同じ入力色に対して同じ色に再現できる画像処理装置を提供する。【解決手段】  前回入力された第１画像データの第１画像色域情報を記憶する第１情報記憶部と、今回入力された第２画像データの第２画像色域情報を算出する画像色域解析部と、第２画像データと第２画像色域情報を記憶する第２情報記憶部と、第１画像色域情報と第２画像色域情報の類似度を求める類似度算出部と、類似度が高い場合は、第１画像色域情報を色域写像に使用する入力装置の色域とし、類似度が低い場合は、第２画像色域情報を色域写像に使用する入力装置の色域とする色変換色域決定部と、色域写像に使用する入力の色域と出力装置の色域に基づいて、第２画像データの色を出力装置の色域内に写像した色域写像画像データを生成する色域写像部とを有する。【選択図】        図２
2010148064.tif 000002
【特許請求の範囲】
【請求項１】
入力装置における入力色域内の画像データを出力装置における出力色域内の画像データに変換する画像処理装置において、
前回入力された第１画像データに関する第１画像色域情報を記憶する第１情報記憶部と、
今回入力された第２画像データに関する第２画像色域情報を算出する画像色域解析部と、
前記第２画像データと前記第２画像色域情報を記憶する第２情報記憶部と、
前記第１画像色域情報と前記第２画像色域情報の類似度を求める類似度算出部と、
類似度が所定の類似範囲内であれば、前記第１画像色域情報を色域写像に使用する入力装置の色域として設定し、類似度が所定の類似範囲外であれば、前記第２画像色域情報を色域写像に使用する入力装置の色域として設定する色変換色域決定部と、
前記色変換色域決定部で設定した前記色域写像に使用する入力色域と前記出力装置の色域に基づいて、前記第２画像データの色を前記出力装置の色域内に写像した色域写像画像データを生成する色域写像部と
を有することを特徴とする画像処理装置。
【請求項２】
前記類似度は、前記第１画像色域情報と前記第２画像色域情報の比率により算出されることを特徴とする請求項１に記載の画像処理装置。
【請求項３】
入力装置における入力色域内の画像データを出力装置における出力色域内の画像データに変換する画像処理装置において、
前回入力された第１画像データに関する第１画像色域情報を記憶する第１情報記憶部と、
今回入力された第２画像データに関する第２画像色域情報を算出する画像色域解析部と、
前記第２画像データと前記第２画像色域情報を記憶する第２情報記憶部と、
前記第１画像色域情報と前記出力装置の色域に基づいて、前記第２画像データの色を前記出力装置の色域内に写像した第１色域写像画像データを生成すると共に、前記第２画像色域情報と前記出力装置の色域に基づいて、前記第２画像データの色を前記出力装置の色域内に写像した第２色域写像画像データを生成する色域写像部と、
前記第１色域写像画像データと前記第２色域写像画像データを記憶するデータ記憶部と、
前記第１色域写像画像データと前記第２色域写像画像データの差分画像を生成する差分画像生成部と
を有し、
前記差分画像を、前記第１色域写像画像データと前記第２色域写像画像データの何れかを前記出力装置の出力画像データとして選択するための判断基準とすることを特徴とする画像処理装置。
【請求項４】
前記差分画像は、前記第１色域写像画像データと前記第２色域写像画像データの各画素の色差より算出されるグレースケール画像であることを特徴とする請求項３に記載の画像処理装置。
【発明の詳細な説明】
【技術分野】
【０００１】
本発明は、入力装置における入力色域内の画像データを出力装置における出力色域内の画像データに変換する画像処理装置に関し、特に、入力色域と出力色域間における色変換を行う画像処理装置に関するものである。
【背景技術】
【０００２】
従来、入力装置における画像データを出力装置における画像データに変換する際、入力装置における入力色域上の画像データを、出力装置における出力色域内において再現させる色域写像という処理が行われている。
上記色域写像において、色域写像パラメータは、出力装置の色域に対して入力装置の色域に一意に対応付けられて決定されるのが一般的であり、且つ、入力色域に対して出力色域が小さい場合が多い。このように、入力色域より出力色域の方が小さいと、色域写像時の写像圧縮の度合いが大きくなるため、全色域を彩度・明度の階調性を維持して出力色空間へ写像する色域写像では、彩度の低下が顕著となり、好ましい色再現が行えないという問題があった。
【０００３】
係る問題に鑑み、彩度の低下を抑制した好ましい色再現を実現できる色域写像処理として、特許文献１が提案されている。特許文献１は、入力画像データの使用色域を解析し、予め記憶してある色域情報と、各色域情報に対応付けられた色域写像パラメータを最適化した色変換プロファイルから入力画像データの使用色域を包含する最小の色域情報と、これに対応付けられた色変換プロファイルを選択し、当色変換プロファイルを用いて入力画像データに色変換処理を施して出力画像データを生成するというものである。
【特許文献１】特開２００７−１６６４０３号公報
【発明の開示】
【発明が解決しようとする課題】
【０００４】
しかしながら、特許文献１の場合、入力画像データの使用色域が異なると、それに対応した色域写像パラメータが変わるため、同じ入力色であっても異なる色に再現されてしまうという問題があった。
【０００５】
本発明は、上記問題に鑑みなされたもので、同じ入力色に対して同じ色に再現できる画像処理装置を提供することを目的としている。
【課題を解決するための手段】
【０００６】
すなわち、本発明は、入力装置における入力色域内の画像データを出力装置における出力色域内の画像データに変換する画像処理装置において、前回入力された第１画像データに関する第１画像色域情報を記憶する第１情報記憶部と、今回入力された第２画像データに関する第２画像色域情報を算出する画像色域解析部と、上記第２画像データと上記第２画像色域情報を記憶する第２情報記憶部と、上記第１画像色域情報と上記第２画像色域情報の類似度を求める類似度算出部と、上記類似度が所定の類似範囲内であれば、上記第１画像色域情報を色域写像に使用する入力装置の色域とし、上記類似度が所定の類似範囲外であれば、上記第２画像色域情報を色域写像に使用する入力装置の色域とする色変換色域決定部と、上記色域写像に使用する入力の色域と上記出力装置の色域に基づいて、上記第２画像データの色を上記出力装置の色域内に写像した色域写像画像データを生成する色域写像部とを有することを特徴としている。
【０００７】
また、別の発明は、入力装置における入力色域内の画像データを出力装置における出力色域内の画像データに変換する画像処理装置において、前回入力された第１画像データに関する第１画像色域情報を記憶する第１情報記憶部と、今回入力された第２画像データに関する第２画像色域情報を算出する画像色域解析部と、上記第２画像データと上記第２画像色域情報を記憶する第２情報記憶部と、上記第１画像色域情報と上記出力装置の色域に基づいて、上記第２画像データの色を上記出力装置の色域内に写像した第１色域写像画像データを生成すると共に、上記第２画像色域情報と上記出力装置の色域に基づいて、上記第２画像データの色を上記出力装置の色域内に写像した第２色域写像画像データを生成する色域写像部と、上記第１色域写像画像データと上記第２色域写像画像データを記憶するデータ記憶部と、上記第１色域写像画像データと上記第２色域写像画像データの差分画像を生成する差分画像生成部とを有し、上記差分画像を、上記第１色域写像画像データと上記第２色域写像画像データの何れかを上記出力装置の出力画像データとして選択するための判断基準とすることを特徴としている。
【発明の効果】
【０００８】
本発明によれば、入力画像データの再現色域が類似した画像に対しては、同じ色変換色域を設定するようにしたので、同じ入力色に対し同じ色再現を行うことができ、同じ入力色でありながら異なる色で再現されるという不都合を解消できる。
【０００９】
また、別の発明によれば、前回の入力画像に対する色域写像処理と同じ色再現を行った第１色域写像画像データと、前回と色再現は異なるが入力画像に対し階調性が最適となるような変換を行った第２色域写像画像データとの差分画像を生成し、この差分画像を、上記第１色域写像画像データと第２色域写像画像データの何れかを出力画像データとして選択するための判断基準としたので、ユーザーは、表示された差分画像と各色域写像画像の階調性を目視にて確認しながら、上記色域写像画像の内、好ましい方の写像画像を選択して、出力装置より出力することができる。
【発明を実施するための最良の形態】
【００１０】
以下、図１〜図１１に基づいて本発明による画像処理装置の実施形態を説明する。
【実施例１】
【００１１】
図１は実施例１による画像処理装置の概略構成を示すブロック図である。
本実施例の画像処理装置３００は、図１に示すように、ＣＰＵ３２を有し、このＣＰＵ３２には、入出力Ｉ／Ｆ３１、プログラムＲＯＭ３３、ＲＡＭ３４、ＨＤＤ３５等が接続されている。
プログラムＲＯＭ３３には、画像処理に関するプログラムが格納されており、ＣＰＵ３２がプログラムＲＯＭ３３に格納された画像処理のプロクラムをＲＡＭ３４上に展開してプロクラムを実行することにより、画像処理装置３００の処理動作が行われる。
ＨＤＤ３５は、ユーザーにより印字された画像、モニタ１００の色域情報、プリンタ４００の色域情報等、後述する画像処理装置３００の処理に必要な各種データを格納しておく記憶媒体として使用される。
また、入出力Ｉ／Ｆ３１には、入力装置としてモニタ１００とキーボード２００が接続されており、また、出力装置としてプリンタ４００が接続されている。
【００１２】
図２は実施例１による画像処理装置３００の機能ブロック図である。
本実施例の画像処理装置３００は、第２情報記憶部としての入力画像情報格納部３０１、モニタ色域情報格納部３０２、画像色域解析部３０３、第１情報記憶部としての処理履歴情報格納部３０４、類似度算出部３０５、色変換色域決定部３０６、プリンタ色域情報格納部３０７、色域写像部３０８、色変換テーブル格納部３０９、色変換部３１０、画像出力部３１１等を備える。これらは、既述のように、ＣＰＵ３２がＲＡＭ３４上に展開された画像処理プログラムを実行することにより実現される機能部である。
【００１３】
上記入力画像情報格納部３０１は、入力画像データ（第２画像）、及び入力画像に使用される色の範囲を表す入力画像色域情報（第２画像色域情報）を格納する機能部である。入力画像色域情報は、後述するモニタ色域情報に対する１．０以下のスケーリング係数である。
【００１４】
上記モニタ色域情報格納部３０２は、モニタ１００の色域情報を格納する機能部である。このモニタ色域情報は、色域の外郭に相当するＲＧＢ値を離散的に複数点でサンプリングし、各サンプリング点におけるＲＧＢ値に対応付けられたＬａｂ値で与えられる。
例えば、図３に示すモニタ１００の色域情報の例では、それぞれ離散的にサンプリングされた白から赤、赤から黒の各色に対応するＬａｂ値が格納されている。同様に、緑や青、シアン、マゼンタ、イエロー等、各色相の色域全体についてサンプリングし、それぞれのサンプリング点において対応付けられたＬａｂ値がモニタ色域情報として格納される。
【００１５】
上記画像色域解析部３０３は、入力画像情報格納部３０１から入力された入力画像データと、モニタ色域情報格納部３０２から入力されたモニタ色域情報に基づいて入力画像色域を算出する機能部である。入力画像色域は、入力画像に使用される色の範囲を示している。
【００１６】
図５は画像色域解析部３０３の処理説明図であり、Ｌａｂ空間における色相断面を示している。図５の横軸は彩度、縦軸は明度である。
上記入力画像色域６０３は、モニタ色域６０１と相似形の色域であって、入力画像の色分布６０２は色域内に全て包含される。入力画像色域情報は、モニタ色域６０１の最大彩度Ｃ１に対する入力画像色域６０３の最大彩度Ｃ２の比（Ｃ２／Ｃ１）で算出される１．０以下のスケーリング係数である。尚、算出された入力画像色域情報は、入力画像情報格納部３０１に格納される。
【００１７】
上記処理履歴情報格納部３０４は、前色変換色域情報（第１画像色域情報）を格納する機能部である。前色変換色域情報とは、画像処理装置３００において前回の入力画像に対して色域写像を行う際に使用された色変換色域情報を示し、モニタ色域６０１の最大彩度に対する１．０以下のスケーリング係数である。
【００１８】
上記類似度算出部３０５は、入力画像情報格納部３０１から入力された入力画像色域情報の色域と、処理履歴情報格納部３０４から入力された前色変換色域情報の色域の類似度Ｓを算出する機能部である。
類似度Ｓは、入力画像色域情報をＳｃ、前色変換色域情報をＳｐとすると、Ｓｃ／Ｓｐにて算出することができる。従って、算出された類似度Ｓの値が１に近い程、類似度は高くなり、入力画像色域情報Ｓｃの色域と前色変換色域情報Ｓｐの色域が類似していることになる。
【００１９】
上記色変換色域決定部３０６は、類似度算出部３０５から入力された類似度Ｓに基づいて、後述する色域写像部３０８で使用するモニタ１００の色変換色域情報を決定する機能部である。色変換色域情報は、モニタ１００の色域に対するスケーリング係数である。
【００２０】
類似度Ｓが、所定範囲内、例えば、０．９〜１．１の範囲内であれば、前色変換色域情報を色変換色域情報とし、類似度Ｓが、０．９〜１．１の範囲外であれば、入力画像色域情報を色変換色域情報とする。すなわち、入力画像に使用された色分布が前回処理した画像の色分布に類似している場合、今回の色域写像処理には、前回と同じ色変換色域情報が使用される。
【００２１】
上記プリンタ色域情報格納部３０７は、プリンタ４００の色域情報を格納する機能部である。このプリンタ色域情報は、色域の外郭に相当するＣＭＹＫ値を離散的に複数点でサンプリングし、各サンプリング点におけるＣＭＹＫ値に対応付けられたＬａｂ値で与えられる。
例えば、図４に示すプリンタ４００の色域情報の例では、それぞれ離散的にサンプリングされた白から赤、赤から黒の各色に対応するＬａｂ値が格納されている。既述したモニタ色域情報と同様に、各色相についてサンプリングし、それぞれのサンプリング点において対応付けられたＬａｂ値がプリンタ色域情報として格納される。
【００２２】
上記色域写像部３０８は、色変換色域決定部３０６から入力された色変換色域情報と、モニタ色域情報格納部３０２から入力されたモニタ色域情報から仮のモニタ色域情報を算出すると共に、この仮モニタ色域情報とプリンタ色域情報格納部３０７から入力されたプリンタ色域情報を使用して、入力画像データの色をプリンタ４００の色域内において再現させた色域写像画像データを生成する機能部である。
【００２３】
上記色変換テーブル格納部３０９は、Ｌａｂ値とＣＭＹＫ値の対応関係を示すテーブル形式の変換データ（変換テーブル）を格納する機能部である。この変換テーブルは、Ｌａｂ値の各Ｌ値、ａ値、ｂ値による３次元のルックアップテーブルである。
【００２４】
上記色変換部３１０は、上記色変換テーブルを用い、色域写像部３０８から入力された色域写像画像データの各画素のＬａｂ値をプリンタ４００が出力可能なＣＭＹＫ値に変換する機能部である。
【００２５】
上記画像出力部３１１は、色変換部３１０から入力されたＣＭＹＫ値でなる画像データをプリンタ４００へ出力する機能部である。
【００２６】
次に、上述した各機能部で構成される画像処理装置３００の処理を、図６のフローチャートに基づいて説明する。
【００２７】
先ず、Ｓ１０１では、ユーザーのキーボード２００操作により、画像処理装置３００に画像の印字命令が入力されると、印字命令にて指定された画像が、入力画像情報格納部３０１から画像色域解析部３０３に入力される。
【００２８】
次に、Ｓ１０２では、画像色域解析部３０３において、入力画像情報格納部３０１から入力された入力画像データに使用されている色の分布が解析され、入力画像色域情報が算出される。算出された入力画像色域情報は、入力画像情報格納部３０１に格納される。
【００２９】
次に、Ｓ１０３では、類似度算出部３０５において、入力画像情報格納部３０１から入力された入力画像色域情報と、処理履歴情報格納部３０４から入力された前色変換色域情報より、今回の入力画像と前回の入力画像における色域の類似度が算出される。
【００３０】
次に、Ｓ１０４では、色変換色域決定部３０６において、類似度算出部３０５で算出された類似度に基づき、色変換色域情報が選択、決定される。すなわち、類似度が高い場合は、前色変換色域情報が選択され、類似度が低い場合は、入力画像色域が選択される。決定された色変換色域情報は、処理履歴情報格納部３０４に格納される。
【００３１】
次に、Ｓ１０５では、色域写像部３０８において、モニタ色域情報格納部３０２から入力されたモニタ色域情報が色変換色域決定部３０６で設定された色変換色域情報でスケーリングされて、モニタの仮色域が設定される。このモニタ仮色域とプリンタ色域情報格納部３０７から入力されたプリンタ色域情報に基づき、入力画像情報格納部３０１から入力された入力画像の色が色域写像される。この色域写像処理の詳細は後述する。
【００３２】
ここで、上記Ｓ１０４での処理の結果、前色変換色域情報を使用してモニタ１００の仮色域が設定された場合は、入力画像色に対し前回の同様の色再現（色域写像）が行われる。他方、入力画像色域情報を使用してモニタ１００の仮色域が設定された場合は、前回と異なる色再現が行われるが、入力画像に対して、階調性の優れる画像が得られる。
【００３３】
次に、Ｓ１０６では、色変換部３１０において、色変換テーブル格納部３０９の変換テーブルが参照されて、公知の補間方法により、色域写像部３０８から入力された色域写像画像データがプリンタ４００で出力可能なＣＭＹＫ画像データに変換される。
【００３４】
次に、Ｓ１０７では、画像出力部３１１において、色変換部３１０から入力された画像データがプリンタ４００に送信されると共に、プリンタ４００において、当画像データがプリント出力される。
【００３５】
次に、色域写像部３０８における色域写像処理処理の詳細を、図７を用い、図８に基づいて説明する。図７は色域写像部３０８の処理説明図、図８は色域写像部３０８の処理を示すフローチャートである。
【００３６】
先ず、Ｓ１１１では、色域写像部３０８において、モニタ色域情報格納部３０２から入力されたモニタ色域６０１が、色変換色域決定部３０６から入力された色変換色域情報（スケーリング係数）でスケーリングされ、仮モニタ色域７０１が算出される。図７は色変換色域情報が０．８の場合である。ここでは、仮モニタ色域７０１は、モニタ色域の最大彩度点６０１ａが０．８倍された点を最大彩度点７０１ａとし、且つ、モニタ色域６０１と相似形の色域となる。
【００３７】
次に、Ｓ１１２では、プリンタ色域情報格納部３０７から入力されたプリンタ色域情報を使って写像集中点７０４が算出される。写像集中点７０４は、入力色７０５が写像される方向を示し、プリンタ色域７０２の最大彩度点７０２ａと同じ明度で、且つ彩度が０の点である。
【００３８】
次に、Ｓ１１３では、入力色７０５は、入力色７０５と写像集中点７０４を結ぶ直線上を写像集中点７０４に向かって移動し、プリンタ色域７０２内の写像色７０６に写像される。色域写像は、仮モニタ色域７０１をプリンタ色域７０２に比例配分することによって行われるため、仮モニタ色域７０１の大きさが変わると色域写像の結果も変わる。
【００３９】
次に、Ｓ１１４では、写像色７０６がプリンタ色域７０２内に存在するか否かが判定され、写像色７０６がプリンタ色域７０２内に存在する場合は、色域写像処理が終了し、次の入力画素に対する色域写像処理が開始され、入力画像の全画素について上記した色域写像処理が繰り返し行われる。
【００４０】
また、写像色７０６がプリンタ色域７０２外に存在する場合は、Ｓ１１５において、プリンタ色域７０２外の写像色７０６をプリンタ色域７０２の外郭の色に置き換えるクリッピング処理が実行される。クリッピング処理終了後は、次の入力画素に対する色域写像処理が開始され、入力画像の全画素について上記した色域写像処理が繰り返し行われる。
尚、既述した類似度が１．０より大いき場合は、写像色７０６がプリンタ色域７０２内に入らないことがある。
【００４１】
以上、実施例１によれば、入力画像データの再現色域が類似した画像に対しては、同じ色変換色域を設定することにより、同じ入力色に対し同じ色再現を行うことができ、同じ入力色に対して異なる色で再現される不都合を解消できる。
【実施例２】
【００４２】
図９は実施例２による画像処理装置の概略構成を示すブロック図である。
本実施例の画像処理装置５００は、実施例１と同様、ＣＰＵ３２、入出力Ｉ／Ｆ３１、プログラムＲＯＭ３３、ＲＡＭ３４、ＨＤＤ３５等で構成され、入出力Ｉ／Ｆ３１には、入力装置としてモニタ１００とキーボード２００が接続され、出力装置としてプリンタ４００が接続されている。
【００４３】
図１０は実施例２による画像処理装置５００の機能ブロック図である。
本実施例の画像処理装置５００は、入力画像情報格納部３０１、モニタ色域情報格納部３０２、画像色域解析部３０３、処理履歴情報格納部３０４、プリンタ色域情報格納部３０７、色域写像部５０１、色域写像画像情報格納部５０２（データ記憶部）、差分画像生成部５０３、色変換テーブル格納部３０９、色変換部３１０、画像出力部３１１等を備え、これらは、既述のように、ＣＰＵ３２がＲＡＭ３４上に展開された画像処理プログラムを実行することにより実現される機能部である。
尚、上記構成の内、入力画像情報格納部３０１、モニタ色域情報格納部３０２、画像色域解析部３０３、処理履歴情報格納部３０４、プリンタ色域情報格納部３０７、色変換テーブル格納部３０９、色変換部３１０、画像出力部３１１の各機能部については、実施例１と同様であるため、同じ符号を付して説明を省略する。
【００４４】
上記色域写像部５０１は、入力画像情報格納部３０１から入力された入力画像色域情報と、モニタ色域情報格納部３０２から入力されたモニタ色域情報から仮モニタ色域情報を算出すると共に、この仮モニタ色域情報とプリンタ色域情報格納部３０７から入力されたプリンタ色域情報を使用して、入力画像情報格納部３０１から入力された入力画像データの色をプリンタ４００の色域内において再現（写像）させた色域写像画像データ（第２色域写像画像データ）を生成する機能部である。
また、処理履歴情報格納部３０４から入力された前色変換色域情報と、モニタ色域情報格納部３０２から入力されたモニタ色域情報から仮モニタ色域情報を算出すると共に、この仮のモニタ色域情報とプリンタ色域情報格納部３０７から入力されたプリンタ色域情報を使用して、入力画像データの色をプリンタ４００の色域内において再現させた色域写像画像データ（第１色域写像画像データ）を生成する機能部でもある。
【００４５】
上記色域写像画像情報格納部５０２は、色域写像部５０１において生成された第１色域写像画像データと第２色域写像画像データ、および色域写像の際に使用した前色変換色域情報を、それぞれ格納しておく機能部である。
【００４６】
上記差分画像生成部５０３は、色域写像画像情報格納部５０２から入力された第１色域写像画像データと第２色域写像画像データの差分画像を生成する機能部である。
この差分画像は、上記第１色域写像画像データと上記第２色域写像画像データの画素毎の色差を算出することにより生成されるもので、色差の無い画素は白となり、色差が大きくなる程画素が黒くなる、所謂、グレースケールで示される画像である。
【００４７】
次に、上記各機能部で構成される画像処理装置５００の処理を、図１１のフローチャートに基づいて説明する。
【００４８】
先ず、Ｓ２０１では、キーボード２００の操作により、ユーザーから画像処理装置５００に画像の印字命令が入力されると、印字命令で指定された画像が入力画像情報格納部３０１から画像色域解析部３０３に入力される。
【００４９】
次に、Ｓ２０２では、画像色域解析部３０３において、入力画像情報格納部３０１から入力された入力画像データに用いられている色の分布が解析され、入力画像色域情報が算出される。算出された入力画像色域情報は入力画像情報格納部３０１へ格納される。
【００５０】
次に、Ｓ２０３では、色域写像部５０１において、モニタ色域情報格納部３０２から入力されたモニタ色域情報を入力画像情報格納部３０１から入力された入力画像色域情報でスケーリングすることにより、モニタの仮色域が設定され、このモニタ仮色域とプリンタ色域情報格納部３０７から入力されたプリンタ色域情報に基づいて、入力画像情報格納部３０１から入力された入力画像の色が色域写像されることにより、第２色域写像画像データが生成される。
【００５１】
次に、Ｓ２０４では、色域写像部５０１において、モニタ色域情報格納部３０２から入力されたモニタ色域情報を処理履歴情報格納部３０４から入力された前色変換色域情報でスケーリングすることにより、モニタの仮色域が設定され、このモニタ仮色域とプリンタ色域情報格納部３０７から入力されたプリンタ色域情報に基づいて、入力画像の色が色域写像されることにより、第１色域写像画像データが生成される。
【００５２】
次に、Ｓ２０５では、差分画像生成部５０３において、Ｓ２０３で生成された第２色域写像画像データと、Ｓ２０４で生成された第１色域写像画像データの差分画像が生成される。
【００５３】
次に、Ｓ２０６では、Ｓ２０３で生成された第２色域写像画像データによる第２色域写像画像と、Ｓ２０４で生成された第１色域写像画像データによる第１色域写像画像と、Ｓ２０５で生成された差分画像が、それぞれモニタ１００に表示される。
【００５４】
次に、Ｓ２０７では、ユーザーは、モニタ１００に表示された差分画像を参照し、第１色域写像画像と第２色域写像画像の階調性から、出力すべき好ましい方の色域写像画像を判断すると共に、画像処理装置５００に対し、選択した画像をキーボード２００操作により指定する。ユーザーが指定した色域写像画像データは、色域写像画像情報格納部５０２から色変換部３１０に入力される。同時に、選択された色域写像画像データの生成時に用いられた色変換色域情報は、処理履歴情報格納部３０４に格納される。
【００５５】
次に、Ｓ２０８では、色変換部３１０において、色変換テーブル格納部３０９の色変換テーブルが参照されて、色域写像画像情報格納部５０２から入力されたユーザー指定の色域写像画像データがプリンタ４００にて出力可能なＣＭＹＫ画像データに変換される。
【００５６】
次に、Ｓ２０９では、画像出力部３１１において、色変換部３１０から入力された画像データがプリンタ４００に送信されると共に、プリンタ４００において、当画像データがプリント出力される。
【００５７】
以上、実施例２によれば、前回の入力画像に対する色域写像処理と同じ色再現が行なわれた第１色域写像画像と、前回と色再現は異なるが入力画像に対し階調性が最適となる変換が行われた第２色域写像画像と、これら色域写像画像の差分画像を表示することにより、当差分画像と各色域写像画像の階調性を確認しながら、ユーザーが所望する好ましい色域写像画像を選択して、プリント出力することができる。
【産業上の利用可能性】
【００５８】
本実施形態では、入力装置としてモニタを使用し、出力装置としてプリンタを使用したが、本発明は、コピー機のように入出力デバイスを備えた装置にも適用可能である。
【図面の簡単な説明】
【００５９】
【図１】実施例１による画像処理装置の構成を示すブロック図である。
【図２】実施例１による画像処理装置の機能ブロック図である。
【図３】モニタの色域情報例を示す図である。
【図４】プリンタの色域情報例を示す図である。
【図５】画像色域解析部の処理説明図である。
【図６】実施例１による画像処理装置の処理を示すフローチャートである。
【図７】色域写像部の処理説明図である。
【図８】色域写像部の処理を示すフローチャートである。
【図９】実施例２による画像処理装置の構成を示すブロック図である。
【図１０】実施例２による画像処理装置の機能ブロック図である。
【図１１】実施例２による画像処理装置の処理を示すフローチャートである。
【符号の説明】
【００６０】
１００  モニタ（入力装置）
３００、５００  画像処理装置
３０４  処理履歴情報格納部（第１情報記憶部）
３０３  画像色域解析部
３０１  入力画像情報格納部（第２情報記憶部）
３０５  類似度算出部
３０６  色変換色域決定部
３０８、５０１  色域写像部
４００  プリンタ（出力装置）
５０２  色域写像画像情報格納部（データ記憶部）
５０３  差分画像生成部
【図１】
2010148064.tif 000003
【図２】
2010148064.tif 000004
【図３】
2010148064.tif 000005
【図４】
2010148064.tif 000006
【図５】
2010148064.tif 000007
【図６】
2010148064.tif 000008
【図７】
2010148064.tif 000009
【図８】
2010148064.tif 000010
【図９】
2010148064.tif 000011
【図１０】
2010148064.tif 000012
【図１１】
2010148064.tif 000013